(57)【要約】【課題】本発明は、必要最小限の１室に、全ての設備・器具を備え、間仕切りをなくした部屋の一戸建てでどこからでも全体を見渡すことができるワンルーム一戸建及びその設計方法を提供する。【解決手段】本発明のワンルーム一戸建は、一戸建住宅の基本構成を矩形区画１とし、該矩形区画１を縦横に分割し、４つ位のブロック単位、例えばブロック単位Ａ〜Ｄを形成し、各ブロック単位を、寝室、居間、流し、風呂トイレに大きく別け、これらを各一つのブロックとし、各ブロック単位の具体的設計から寝室、居間、流し、風呂トイレを適宜選択して設計し、各ブロック単位の寝室、居間、流し、風呂トイレには、天井吊り下げ折り畳み式の間仕切りを設ける。【選択図】図１
2016217010.tif 000002
【特許請求の範囲】
【請求項１】
一戸建住宅の基本構成を矩形区画とし、該矩形区画を縦横に分割し、４つ位のブロック単位を形成し、各ブロック単位を、寝室、居間、流し、風呂トイレに大きく別け、これらを各一つのブロックとし、各ブロック単位の具体的設計から寝室、居間、流し、風呂トイレを適宜選択することを特徴とするワンルーム一戸建の設計方法。
【請求項２】
前記各ブロック単位の寝室、居間、流し、風呂トイレには、天井吊り下げ折り畳み式の間仕切りを設けることを特徴とする請求項１記載のワンルーム一戸建の設計方法。
【請求項３】
一戸建住宅の基本構成を矩形区画とし、該矩形区画を縦横に分割し、４つ位のブロック単位を形成し、各ブロック単位を、寝室、居間、流し、風呂トイレに大きく別け、これらを各一つのブロックとし、各ブロック単位の具体的設計から寝室、居間、流し、風呂トイレを適宜選択して設計し、各ブロック単位の寝室、居間、流し、風呂トイレには、天井吊り下げ折り畳み式の間仕切りを設けたことを特徴とするワンルーム一戸建。
【発明の詳細な説明】
【技術分野】
【０００１】
本発明は、必要最小限の１室に、全ての設備・器具を備え、間仕切りをなくした部屋の一戸建てでどこからでも全体を見渡すことができるワンルーム一戸建及びその設計方法に関する。
【背景技術】
【０００２】
従来、家屋内には、リビング、ダイニングなどの複数の生活空間を設けられ、それぞれの生活空間には衣服、種々の小物を収容するラック、テレビを載置するテレビ台、その他の調度品のための大きさや形状がまちまちの複数種類の収納家具を隅位置に配置するのが普通である。
これらの複数種類の収納家具を配置するに当たっては、それぞれの家具の機能と大きさに対応できない空間的な制限がある場合が多い。
【０００３】
そこで、任意の物品や器具の収納機能を有し、比較的広い部屋空間に任意の位置にセンターウォールとして配置でき、また、間仕切り用としても好適に使用される間仕切り用組立て家具が知られている（特許文献１を参照）。
この公知技術は、比較的厚めの板材によって形成された天板と、該天板と同一厚み、同一巾、同一長さの板材によって形成された背板と、前記天板と同一厚み、同一巾であって、この巾と同一高さの板材からなる両側板とから形成される組立て部材を任意数に積み上げた間仕切り用組立て家具である。
【０００４】
この間仕切り用組立て家具は、各組立部材単位を任意に組み合わせることによって、ライフスタイルの変化や成長に合わせて自由に収納機能を変えて、また、高さと収納量の大きさに調整することができ、また、複数の組立て家具を連結してセンターウォールとしての機能を持たせることができるが、介護を必要とする２人暮らしなどには部屋全体を見渡すことができなく、不便なものであった。
【０００５】
また、施主が容易に設計可能で設計費及び建築費を抑えることができ、さらに居住者が家屋内で機能的に移動できるようにした注文住宅及び注文住宅の設計方法が知られている（特許文献２を参照）。
この公知技術は、１フロアの中央部以外の外周部をあらかじめユニット化された部屋空間の選択により部屋として形成し、あるいは非選択による空間として形成し、中央部を共用空間とする注文住宅の設計方法である。
この注文住宅の設計方法は、１フロアに部屋空間が設定され、中心の空間が共用空間とされ、周囲の部屋空間は予め設計された多種類の部屋から選択される或いは非選択の空間として形成されることにより、施主が容易に設計することができ、しかも、設計費及び建築費を低額に抑えることができるが、介護を必要とする２人暮らしなどの設計には部屋全体を見渡すことができなく、不向きなものであった。
【先行技術文献】
【特許文献】
【０００６】
【特許文献１】特開２０１１−４２７号公報
【特許文献２】特開２００３−３３６４０６号公報
【発明の概要】
【発明が解決しようとする課題】
【０００７】
本発明は、必要最小限の１室に、全ての設備・器具を備え、間仕切りをなくした部屋の一戸建てでどこからでも全体を見渡すことができるワンルーム一戸建及びその設計方法を提供することを目的とする。
【課題を解決するための手段】
【０００８】
本発明のワンルーム一戸建の設計方法は、一戸建住宅の基本構成を矩形区画とし、該矩形区画を縦横に分割し、４つ位のブロック単位を形成し、各ブロック単位を、寝室、居間、流し、風呂トイレに大きく別け、これらを各一つのブロックとし、各ブロック単位の具体的設計から寝室、居間、流し、風呂トイレを適宜選択する。
本発明のワンルーム一戸建は、一戸建住宅の基本構成を矩形区画とし、該矩形区画を縦横に分割し、４つ位のブロック単位を形成し、各ブロック単位を、寝室、居間、流し、風呂トイレに大きく別け、これらを各一つのブロックとし、各ブロック単位の具体的設計から寝室、居間、流し、風呂トイレを適宜選択して設計し、各ブロック単位の寝室、居間、流し、風呂トイレには、天井吊り下げ折り畳み式の間仕切りを設けたものである。
【発明の効果】
【０００９】
本発明のワンルーム一戸建の設計方法は、一戸建住宅の基本構成を矩形区画とし、該矩形区画を縦横に分割し、４つ位のブロック単位を形成し、各ブロック単位を、寝室、居間、流し、風呂トイレに大きく別け、これらを各一つのブロックとし、各ブロック単位の具体的設計から寝室、居間、流し、風呂トイレを適宜選択するため、依頼主が満足する住宅設計を簡単に作成することができる。
本発明のワンルーム一戸建の設計方法は、ブロック単位を移動することで新たな図面を引くこともなく、異なるお客様の希望や道路事情によって図面を引くこともないため、図面を作る製作費が建築合計から大幅に安くできる。
【００１０】
本発明のワンルーム一戸建は、一戸建住宅の基本構成を矩形区画とし、該矩形区画を縦横に分割し、４つ位のブロック単位を形成し、各ブロック単位を、寝室、居間、流し、風呂トイレに大きく別け、これらを各一つのブロックとし、各ブロック単位の具体的設計から寝室、居間、流し、風呂トイレを適宜選択して設計し、各ブロック単位の寝室、居間、流し、風呂トイレには、天井吊り下げ折り畳み式の間仕切りを設けた為、一地点、どこからでもすべて見渡せることができるし、特に、給配水なども図面の方角を変えるだけで事足り、道路に合わせ、玄関や日当たりなど自由にできるし、外壁も必要に応じてどちらでも使える。
【図面の簡単な説明】
【００１１】
【図１】本発明のワンルーム一戸建の基本構成の平面図である。
【図２】本発明のワンルーム一戸建の寝室ブロックの平面図である。
【図３】本発明のワンルーム一戸建の居間ブロックの平面図である。
【図４】本発明のワンルーム一戸建の流しブロックの平面図である。
【図５】本発明のワンルーム一戸建の風呂トイレブロックの平面図である。
【図６】本発明のワンルーム一戸建の他の基本構成の平面図である。
【図７】本発明のワンルーム一戸建の他の具体的設計の平面図である。
【図８】本発明のワンルーム一戸建のその他の基本構成の平面図である。
【図９】本発明のワンルーム一戸建のその他の具体的設計の平面図である。
【図１０】本発明のワンルーム一戸建のその他の基本構成の平面図である。
【図１１】本発明のワンルーム一戸建のその他の具体的設計の平面図である。
【発明を実施するための形態】
【００１２】
依頼主の要望の変更は図面作成時に多く、玄関、流し、居間、風呂、トイレ、寝室などの配置は依頼主によって異なり、またその道路状況によっても異なってくる。
本発明のワンルーム一戸建は、それらの状況を満たすために新たに設計をやり直すことがなく、またワンルーム一戸建の設計に適宜合わせられるものである。
【００１３】
本発明のワンルーム一戸建及びその設計方法の一実施例を添付図面に基づいて、以下に説明する。
図１の平面図に示すように、一戸建住宅の基本構成を正方形や長方形の矩形区画１とし、該矩形区画１を縦横に分割し、４つ位のブロック単位Ａ〜Ｄを形成する。
前記ブロック単位Ａ〜Ｄを、寝室、居間、流し、風呂トイレに大きく別け、これらを各一つのブロックとする。
【００１４】
本発明の説明の便宜上、ブロック単位Ａは寝室ブロック、ブロック単位Ｂは居間ブロック、ブロック単位Ｃは流しブロック、ブロック単位Ｄは風呂トイレブロックとする。
そこで、図２〜図５の平面図に各ブロック単位の具体的設計を示す。
寝室ブロックＡは、ベッド２及び窓３の位置を変えて、図２の（ａ）寝室ブロックＡ１及び（ｂ）寝室ブロックＡ２を設計する。
居間ブロックＢは、窓３及びテーブル４の位置を変えて、図３の（ａ）居間ブロックＢ１及び（ｂ）居間ブロックＢ２を設計する。
流しブロックＣは、流し台５及びドア６の位置を変えて、図４の（ａ）流しブロックＣ１及び（ｂ）流しブロックＣ２を設計する。
風呂トイレブロックＤは、風呂７及びトイレ８の位置を変えて、図５の（ａ）風呂トイレブロックＤ１及び（ｂ）風呂トイレブロックＤ２を設計する。
【００１５】
図６の平面図に示すように、図１の基本構成の矩形区画１にそれぞれ図２〜図５の各ブロック単位の具体的設計から、寝室ブロックＡ１、居間ブロックＢ１、流しブロックＣ１、風呂トイレブロックＤ１を選択する。
すると、図７の平面図に示すように、大きな室（ワンルーム）の中に、寝室、居間、流し、風呂トイレが配置される。
【００１６】
また、図８の平面図に示すように、基本構成の矩形区画１に各ブロック単位の具体的設計から、寝室ブロックＡ２、居間ブロックＢ２、流しブロックＣ２、風呂トイレブロックＤ２を選択すれば、図９の平面図に示すように、大きな室（ワンルーム）の中に、寝室、居間、流し、風呂トイレが配置される。
このように、各ブロック単位から寝室、居間、流し、風呂トイレを適宜選択することにより、使用者が満足する住宅設計を簡単に作成することができる。
【００１７】
さらに、前記矩形区画１の各ブロック単位を固定ではなく、図１０の平面図に示すように、各ブロック単位を変更できるようにすると、東西南北を移動し、変えることのできるワンルーム一戸建ができる。
図１０の基本設計とした場合は、図１１の平面図に示すように、大きな室（ワンルーム）の中に、寝室、居間、流し、風呂トイレが配置される。
すなわち、一つの矩形区画１の図面の中に用途に応じたブロック単位を移動することにより、新たに設計をし直す必要がない。
【００１８】
さらに、現在は各部屋に冷暖房を行っているが、これを必要最小限の一室に全ての設備、器具を整え、また間仕切りをなくした部屋にすると、一地点、どこからでもすべて見渡せることができる。
そのため、本発明のワンルーム一戸建では、図２〜図５の各ブロック単位に天井吊り下げ折り畳み式の間仕切りＳ１〜Ｓ４を設け、必要に応じて間仕切りができるようにし、介
護を必要とする二人暮らしなどには便利なワンルーム一戸建住宅を形成する。
【符号の説明】
【００１９】
１  矩形区画
２  ベッド
３  窓
４  テーブル
５  流し台
６  ドア
７  風呂
８  トイレ
【図１】
2016217010.tif 000003
【図２】
2016217010.tif 000004
【図３】
2016217010.tif 000005
【図４】
2016217010.tif 000006
【図５】
2016217010.tif 000007
【図６】
2016217010.tif 000008
【図７】
2016217010.tif 000009
【図８】
2016217010.tif 000010
【図９】
2016217010.tif 000011
【図１０】
2016217010.tif 000012
【図１１】
2016217010.tif 000013